(57)【要約】【課題】機械的物理キーを用いない簡易な構成で、貨幣盗難などの影響範囲を容易に狭めることができる金銭処理装置を提供すること。【解決手段】貨幣処理機能が実装されて引き出し可能な硬貨収納ユニット１０及び紙幣収納ユニット２０を、硬貨収納ユニット１０及び紙幣収納ユニット２０の正面パネルとともに硬貨収納ユニット１０及び紙幣収納ユニット２０を外部から遮蔽する筐体と、硬貨収納ユニット１０及び紙幣収納ユニット２０が前記筐体に収納された状態で硬貨収納ユニット１０及び紙幣収納ユニット２０の引き出しを電気的にロックする電気的ロック機構１８，２８と、ＰＯＳレジスタ装置ＰＲ、操作表示部３０、あるいは通信処理部４０からの電子識別情報の入力によって電気的ロック機構１８，２８をロック解除するロック制御部５２と、を備える。【選択図】図１０
2015162121.tif 000002
【特許請求の範囲】
【請求項１】
入金された貨幣を取り込んで収納庫に振分収納し、上位装置からの指示によって前記収納庫から収納貨幣を放出する貨幣処理機能を有した金銭処理装置であって、
前記貨幣処理機能が実装されて引き出し可能な貨幣処理ユニットを、該貨幣処理ユニットの収納状態で該貨幣処理ユニットの正面パネルとともに前記貨幣処理ユニットを外部から遮蔽する筐体と、
前記貨幣処理ユニットが前記筐体に収納された状態で前記貨幣処理ユニットの引き出しを電気的にロックする電気的ロック機構と、
電子識別情報の入力によって前記電気的ロック機構をロック解除するロック制御部と、
を備えたことを特徴とする金銭処理装置。
【請求項２】
前記ロック制御部は、上位装置から入力される所定コマンド内の前記電子識別情報によって前記電気的ロック機構のロック解除を行うことを特徴とする請求項１に記載の金銭処理装置。
【請求項３】
入力操作および表示を行う操作表示部を備え、
前記ロック制御部は、前記操作表示部から前記電子識別情報が入力された場合に前記電気的ロック機構のロック解除を行うことを特徴とする請求項１または２に記載の金銭処理装置。
【請求項４】
前記電子識別情報を読み取る読取処理部を備え、
前記ロック制御部は、前記読取処理部から前記電子識別情報が読み取られた場合に前記電気的ロック機構のロック解除を行うことを特徴とする請求項１〜３のいずれか一つに記載の金銭処理装置。
【請求項５】
前記読取処理部は、接触式または非接触式のカードリーダであることを特徴とする請求項４に記載の金銭処理装置。
【請求項６】
前記読取処理部は、生体認証情報を読み取り、該生体認証情報を前記電子識別情報とすることを特徴とする請求項４に記載の金銭処理装置。
【請求項７】
前記電子識別情報は、装置のシリアル番号に対応した情報であることを特徴とする請求項１〜５のいずれか一つに記載の金銭処理装置。
【請求項８】
前記貨幣処理ユニットの引き出しを検出する引き出し検出センサを備え、
前記ロック制御部は、前記電気的ロック機構のロック解除後、所定時間内に前記引き出し検出センサが前記貨幣処理ユニットの引き出しを検出しない場合、前記電気的ロック機構を再ロックさせることを特徴とする請求項１〜７のいずれか一つに記載の金銭処理装置。
【請求項９】
前記ロック制御部は、上位装置の認証機構によって前記電子識別情報が認証されて前記電気的ロック機構のロック解除許可を示す情報が入力された場合に、前記電気的ロック機構のロック解除を行うことを特徴とする請求項２に記載の金銭処理装置。
【請求項１０】
前記ロック制御部は、前記貨幣処理ユニットに対する引き出し指示あるいは現金払い出し指示の都度、前記電子識別情報の入力を要求することを特徴とする請求項１〜９のいずれか一つに記載の金銭処理装置。
【請求項１１】
電子キーの接続によって、前記電子キー内の前記電子識別情報の読み取りを含む情報読取と前記電子キーへの情報書込が可能なる通信処理部を備え、
前記ロック制御部は、前記通信処理部から前記電子識別情報が読み取られた場合に前記電気的ロック機構のロック解除を行うことを特徴とする請求項１〜１０のいずれか一つに記載の金銭処理装置。
【請求項１２】
前記通信処理部に前記電子キーが接続されていることを条件に前記貨幣処理ユニットの動作を可能にする制御部を備えたことを特徴とする請求項１１に記載の金銭処理装置。
【請求項１３】
前記筐体または前記貨幣処理ユニットから取り外し可能な紙幣回収庫を備え、
前記紙幣回収庫は、前記筐体または前記貨幣処理ユニットに対して紙幣回収用電気的ロック機構によって電気的にロックされ、
前記ロック制御部は、電子識別情報の入力によって前記紙幣回収用電気的ロック機構をロック解除することを特徴とする請求項１〜１２のいずれか一つに記載の金銭処理装置。
【請求項１４】
前記紙幣回収庫から紙幣を抜き取るための回収扉と、
前記回収扉の開閉を電気的にロックする回収扉用電気的ロック機構と、
を備え、
前記ロック制御部は、電子識別情報の入力によって前記回収扉用電気的ロック機構をロック解除することを特徴とする請求項１３に記載の金銭処理装置。
【請求項１５】
前記貨幣ユニットに設けられた紙幣回収庫と、
前記貨幣ユニットの前面から前記紙幣回収庫に回収された貨幣を抜き取るための開閉扉と、
前記開閉扉の開閉を電気的にロックする開閉扉用電気的ロック機構と、
を備え、
前記ロック制御部は、電子識別情報の入力によって前記開閉扉用電気的ロック機構をロック解除することを特徴とする請求項１〜１２のいずれか一つに記載の金銭処理装置。
【請求項１６】
前記電子識別情報と複数の許可処理内容との対応関係情報を保持する記憶部を備え、
前記ロック制御部は、入力された電子識別情報に対応する許可処理内容に応じて前記電気的ロック機構、前記紙幣回収用電気的ロック機構、前記回収扉用電気的ロック機構、あるいは前記開閉扉用電気的ロック機構の１以上のロック解除を行うことを特徴とする請求項１〜１５のいずれか一つに記載の金銭処理装置。
【発明の詳細な説明】
【技術分野】
【０００１】
本発明は、機械的物理キーを用いない簡易な構成で、貨幣盗難などの影響範囲を容易に狭めることができる金銭処理装置に関する。
【背景技術】
【０００２】
昨今のスーパーマーケットやコンビニエンスストア等の店舗には、客さばきや現金管理の厳正化のため、自動釣銭機として金銭処理装置が設置されている。この金銭処理装置は、通常、ＰＯＳレジスタ（Ｐｏｉｎｔ Ｏｆ Ｓａｌｅｓ）装置等の上位装置に接続されており、上位装置からの指令に応じて硬貨や紙幣等の金銭の入出金処理を行うものである。
【０００３】
具体的には、上位装置から入金許可指令が与えられた後に投入口から金銭が投入されると、金銭処理装置では、金銭搬送通路を通じてこれらの金銭が装置本体の内部に取り込まれ、真贋及び金種が鑑別される。正規の貨幣であった場合には、金種毎に収納庫に収納されるとともに、上位装置に対して入金額情報が送信される。
【０００４】
一方、上位装置から出金指令が与えられると、収納庫に収納されている金銭から該当する金額の貨幣が金銭搬送通路を通じて搬出され、装置本体の出金口から外部に払い出されることになる。
【０００５】
ここで、貨幣詰まりなどが発生すると、金銭処理装置は、使用不能状態となる場合がある。このため、金銭処理装置では、貨幣処理ユニットが筐体に対して引き出し可能に収納されている。そして、上述した貨幣詰まりなどが発生した場合には、貨幣処理ユニットを筐体から引き出して、詰まった貨幣を取り除くなどの措置が行えるようにしている。しかし、この貨幣処理ユニット内には貨幣が収納されていることから、安全性を保つため、貨幣処理ユニットは管理者等が保持する特定の鍵によって筐体から引き出されないようにロックされている。
【０００６】
しかし、上述した紙幣詰まりなどが発生して貨幣処理ユニットを引き出そうとする場合、特定の鍵を保管する管理者等を呼び出してロックを解除する必要がある。この管理者等の呼び出しにかかる時間によって、商品取引が中断してしまうという問題点があった。
【０００７】
そこで、例えば特許文献１では、管理者等が保持する鍵によるロック解除のほかに、キャッシャを特定できる正規な解除者ＩＤの入力とロック解除命令の入力とがあった場合に、ロック解除を行うようにしている。これによって、貨幣詰まりなどを素早く解消することができるとともに、貨幣を保管する上での安全性をも高めることができる。
【０００８】
また、特許文献２では、直接手で操作可能な手動スイッチと、特定の鍵でのみ操作可能な鍵スイッチとの双方の操作があった場合に、貨幣の返却を行う装置が記載されている。
【先行技術文献】
【特許文献】
【０００９】
【特許文献１】特開２００９−１４００１３号公報
【特許文献２】特開２００７−２１９９１６号公報
【発明の概要】
【発明が解決しようとする課題】
【００１０】
しかしながら、特定の機械的物理キーによるロック解除と、解除者ＩＤなどの情報入力によるロック解除との双方の機能を有したロック機構を持たせると金銭処理装置全体の構成が複雑になる。
【００１１】
そして、機械的物理キーを管理者等が保持することを前提とすると、金銭処理装置の製造者側では、金銭処理装置を用いて顧客ごとに異なる機械的物理キーを準備することが難しく、顧客側での鍵運用管理も煩雑とならざるを得ない。
【００１２】
一方、顧客側では、機械的物理キーの紛失時における影響範囲を狭くしたいという要望がある。この要望は、機械的物理キーの紛失時における貨幣盗難発生が、他の金銭処理装置の貨幣盗難発生に派生しないようにしたいためである。このため、例えば、同一ショッピングセンター内の別テナント間で機械的物理キーを異ならせたいという要望がある。
【００１３】
本発明は、上記に鑑みてなされたものであって、機械的物理キーを用いない簡易な構成で、貨幣盗難などの影響範囲を容易に狭めることができる金銭処理装置を提供することを目的とする。
【課題を解決するための手段】
【００１４】
上述した課題を解決し、目的を達成するために、本発明にかかる金銭処理装置は、入金された貨幣を取り込んで収納庫に振分収納し、上位装置からの指示によって前記収納庫から収納貨幣を放出する貨幣処理機能を有した金銭処理装置であって、前記貨幣処理機能が実装されて引き出し可能な貨幣処理ユニットを、該貨幣処理ユニットの収納状態で該貨幣処理ユニットの正面パネルとともに前記貨幣処理ユニットを外部から遮蔽する筐体と、前記貨幣処理ユニットが前記筐体に収納された状態で前記貨幣処理ユニットの引き出しを電気的にロックする電気的ロック機構と、電子識別情報の入力によって前記電気的ロック機構をロック解除するロック制御部と、を備えたことを特徴とする。
【００１５】
また、本発明にかかる金銭処理装置は、上記の発明において、前記ロック制御部は、上位装置から入力される所定コマンド内の前記電子識別情報によって前記電気的ロック機構のロック解除を行うことを特徴とする。
【００１６】
また、本発明にかかる金銭処理装置は、上記の発明において、入力操作および表示を行う操作表示部を備え、前記ロック制御部は、前記操作表示部から前記電子識別情報が入力された場合に前記電気的ロック機構のロック解除を行うことを特徴とする。
【００１７】
また、本発明にかかる金銭処理装置は、上記の発明において、前記電子識別情報を読み取る読取処理部を備え、前記ロック制御部は、前記読取処理部から前記電子識別情報が読み取られた場合に前記電気的ロック機構のロック解除を行うことを特徴とする。
【００１８】
また、本発明にかかる金銭処理装置は、上記の発明において、前記読取処理部は、接触式または非接触式のカードリーダであることを特徴とする。
【００１９】
また、本発明にかかる金銭処理装置は、上記の発明において、前記読取処理部は、生体認証情報を読み取り、該生体認証情報を前記電子識別情報とすることを特徴とする。
【００２０】
また、本発明にかかる金銭処理装置は、上記の発明において、前記電子識別情報は、装置のシリアル番号に対応した情報であることを特徴とする。
【００２１】
また、本発明にかかる金銭処理装置は、上記の発明において、前記貨幣処理ユニットの引き出しを検出する引き出し検出センサを備え、前記ロック制御部は、前記電気的ロック機構のロック解除後、所定時間内に前記引き出し検出センサが前記貨幣処理ユニットの引き出しを検出しない場合、前記電気的ロック機構を再ロックさせることを特徴とする。
【００２２】
また、本発明にかかる金銭処理装置は、上記の発明において、前記ロック制御部は、上位装置の認証機構によって前記電子識別情報が認証されて前記電気的ロック機構のロック解除許可を示す情報が入力された場合に、前記電気的ロック機構のロック解除を行うことを特徴とする。
【００２３】
また、本発明にかかる金銭処理装置は、上記の発明において、前記ロック制御部は、前記貨幣処理ユニットに対する引き出し指示あるいは現金払い出し指示の都度、前記電子識別情報の入力を要求することを特徴とする。
【００２４】
また、本発明にかかる金銭処理装置は、上記の発明において、電子キーの接続によって、前記電子キー内の前記電子識別情報の読み取りを含む情報読取と前記電子キーへの情報書込が可能なる通信処理部を備え、前記ロック制御部は、前記通信処理部から前記電子識別情報が読み取られた場合に前記電気的ロック機構のロック解除を行うことを特徴とする。
【００２５】
また、本発明にかかる金銭処理装置は、上記の発明において、前記通信処理部に前記電子キーが接続されていることを条件に前記貨幣処理ユニットの動作を可能にする制御部を備えたことを特徴とする。
【００２６】
また、本発明にかかる金銭処理装置は、上記の発明において、前記筐体または前記貨幣処理ユニットから取り外し可能な紙幣回収庫を備え、前記紙幣回収庫は、前記筐体または前記貨幣処理ユニットに対して紙幣回収用電気的ロック機構によって電気的にロックされ、前記ロック制御部は、電子識別情報の入力によって前記紙幣回収用電気的ロック機構をロック解除することを特徴とする。
【００２７】
また、本発明にかかる金銭処理装置は、上記の発明において、前記紙幣回収庫から紙幣を抜き取るための回収扉と、前記回収扉の開閉を電気的にロックする回収扉用電気的ロック機構と、を備え、前記ロック制御部は、電子識別情報の入力によって前記回収扉用電気的ロック機構をロック解除することを特徴とする。
【００２８】
また、本発明にかかる金銭処理装置は、上記の発明において、前記貨幣ユニットに設けられた紙幣回収庫と、前記貨幣ユニットの前面から前記紙幣回収庫に回収された貨幣を抜き取るための開閉扉と、前記開閉扉の開閉を電気的にロックする開閉扉用電気的ロック機構と、を備え、前記ロック制御部は、電子識別情報の入力によって前記開閉扉用電気的ロック機構をロック解除することを特徴とする。
【００２９】
また、本発明にかかる金銭処理装置は、上記の発明において、前記電子識別情報と複数の許可処理内容との対応関係情報を保持する記憶部を備え、前記ロック制御部は、入力された電子識別情報に対応する許可処理内容に応じて前記電気的ロック機構、前記紙幣回収用電気的ロック機構、前記回収扉用電気的ロック機構、あるいは前記開閉扉用電気的ロック機構の１以上のロック解除を行うことを特徴とする。
【発明の効果】
【００３０】
本発明によれば、貨幣処理機能が実装されて引き出し可能な貨幣処理ユニットは、該貨幣処理ユニットの収納状態で該貨幣処理ユニットの正面パネルと筐体とによって前記貨幣処理ユニットを外部から遮蔽され、ロック制御部は、前記貨幣処理ユニットが前記筐体に収納された状態で前記貨幣処理ユニットの引き出しを電気的にロックする電気的ロック機構を、電子識別情報の入力によってロック解除するようにしている。この結果、この金銭処理装置では、電気的ロック機能のみを用いているので、機械的物理キーを用いない簡易な構成となり、また、電子識別情報を用いているので、貨幣盗難などの影響範囲を容易に狭めることができる。
【図面の簡単な説明】
【００３１】
【図１】図１は、本発明の実施の形態である金銭処理装置の外観を示す斜視図である。
【図２−１】図２−１は、図１に示した金銭処理装置の硬貨収納ユニットを引き出した状態を示す斜視図である。
【図２−２】図２−２は、図２−１に示した状態からさらに硬貨収納庫を開放した状態を示す要部斜視図である。
【図３−１】図３−１は、図１に示した金銭処理装置の紙幣収納ユニットを引き出した状態を示す斜視図である。
【図３−２】図３−２は、図３−１に示した状態からさらに紙幣収納庫及び紙幣回収庫を開放した状態を示す要部斜視図である。
【図４】図４は、図１に示した金銭処理装置の内部構成を概念的に示す平面図である。
【図５】図５は、図１に示した金銭処理装置の内部構成を概念的に示す側面図である。
【図６】図６は、電気的ロック機構のロックによって硬貨収納ユニットが筐体に収納された状態を示す模式図である。
【図７】図７は、電気的ロック機構のロック解除によって硬貨収納ユニットが筐体から引き出された状態を示す模式図である。
【図８】図８は、ＵＳＢメモリが通信処理部に接続された状態を示す斜視図である。
【図９】図９は、操作表示部の詳細構成を示す平面模式図である。
【図１０】図１０は、図１に示した金銭処理装置の制御系を示すブロック図である。
【図１１】図１１は、図１０に示した入出金制御部が繰り返し実施する入金処理及び出金処理である釣銭モード処理手順を示すフローチャートである。
【図１２】図１２は、ロック制御部によるロック制御処理手順を示すフローチャートである。
【図１３】図１３は、紙幣収納ユニットが筐体に収納された状態で紙幣収納ユニットから取り外し可能な紙幣回収庫が紙幣収納ユニットから取り外された状態を示す斜視図である。
【図１４】図１４は、紙幣回収用電気的ロック機構によって、図１３に示した紙幣回収庫を紙幣収納ユニットにロックした状態を示す模式図である。
【図１５】図１５は、紙幣回収用電気的ロック機構のロック解除によって、図１３に示した紙幣回収庫が取り外された状態を示す模式図である。
【図１６】図１６は、前面が開閉する回収扉を設けた紙幣回収庫の開閉状態を示す斜視図である。
【図１７】図１７は、貨幣収納ユニットの前面に設けられた開閉扉によって紙幣回収庫を開閉する状態を示した斜視図である。
【発明を実施するための形態】
【００３２】
以下、添付図面を参照してこの発明を実施するための形態について説明する。
【００３３】
（金銭処理装置の構造）
図１〜図９は、本発明の実施の形態である金銭処理装置を示したものである。ここで例示する金銭処理装置は、スーパーマーケットやコンビニエンスストア等の店舗においてＰＯＳレジスタ装置ＰＲに接続される自動釣銭機として用いられるものである。この金銭処理装置は、直方体状を成す装置本体１の前端部に硬貨投入口１１、硬貨出金口１２、紙幣投入口２１、紙幣出金口２２を備えている。
【００３４】
硬貨投入口１１は、投入された硬貨を装置本体１の内部に受け入れるための開口であり、装置本体１の上面に形成してある。硬貨投入口１１に投入された硬貨は、図示せぬ投入検出センサによって検出された後、図４に示すように、硬貨収納ユニット１０の硬貨搬送機構１３の振分搬送機構１３ａによって搬送される。振分搬送機構１３ａによって搬送される硬貨は、硬貨鑑別センサ１４によって鑑別された後、金種に応じて硬貨収納庫１５に収納されることになる。本実施の形態では、装置本体１の内部に１円硬貨収納庫１５ａ、５０円硬貨収納庫１５ｂ、５円硬貨収納庫１５ｃ、１００円硬貨収納庫１５ｄ、１０円硬貨収納庫１５ｅ、５００円硬貨収納庫１５ｆが設けてあり、投入された硬貨を金種ごとに個別に収納するようにしている。精査庫１５ｇは、各硬貨収納庫１５ａ〜１５ｆに収納された硬貨を一旦空にして各硬貨収納庫１５ａ〜１５ｆの収納個数を再計数するための一時収納庫である。硬貨出金口１２は、それぞれの硬貨収納庫１５から出金搬送機構１３ｂを介して搬出された硬貨を装置本体１の外部に払い出すための開口であり、装置本体１の前面に形成してある。なお、受け皿１７は、硬貨出金口１２から払い出された硬貨を受け入れる。また、判別部１９は、出金あるいは精査される硬貨の金種を判別する。
【００３５】
紙幣投入口２１は、投入された紙幣を装置本体１の内部に受け入れるための開口であり、装置本体１の前面上部に設けてある。紙幣投入口２１に投入された紙幣は、図示せぬ投入検出センサによって検出された後、図５に示すように、紙幣収納ユニット２０の紙幣搬送機構２３によって搬送される。搬送される紙幣は、紙幣鑑別センサ２４によって鑑別された後、金種に応じて紙幣収納庫２５内の１０００円紙幣収納庫２５ｂ、混合紙幣収納庫２５ｃに収納されることになる。混合紙幣収納庫２５ｃは、１０００円紙幣以外の紙幣を収納する。例えば、１００００円紙幣や５０００円紙幣を混合して収納する。本実施の形態では、装置本体１の内部に精査庫２５ａを設けている。精査庫２５ａは、紙幣収納庫２５ｂ、２５ｃに収納された紙幣を一旦空にして各紙幣収納庫２５ｂ、２５ｃの収納枚数を再計数するための一時収納庫である。また、紙幣回収庫２７は、１０００円紙幣収納庫２５ｂ、混合紙幣収納庫２５ｃに収納された紙幣を回収するためのものである。紙幣出金口２２は、紙幣収納庫２５ｂ、２５ｃから搬出された紙幣を装置本体１の外部に払い出すための開口であり、装置本体１の前面下部に設けてある。なお、判別部２９は、出金、回収あるいは精査される紙幣の金種を判別する。
【００３６】
図２−１に示すように、硬貨収納ユニット１０は、硬貨搬送機構１３及び硬貨収納庫１５のすべてが装置本体１の筐体１ａに対して手前側に引き出し可能に構成してある。さらに、図２−２に示すように、硬貨収納ユニット１０が引き出された状態で内部の収納庫扉１６を開けることによって硬貨搬送機構１３及び硬貨収納庫１５を外部から操作することが可能である。すなわち、硬貨収納庫１５内の収納硬貨の出し入れが可能となる。
【００３７】
同様に、図３−１に示すように、紙幣収納ユニット２０に関しても、紙幣搬送機構２３及び紙幣収納庫２５のすべてが装置本体１の筐体１ａに対して手前側に引き出し可能となる。さらに図３−２に示すように、紙幣収納ユニット２０が引き出された状態から収納庫扉２６を開けることによって紙幣搬送機構２３及び紙幣収納庫２５を外部から操作することが可能となる。すなわち、紙幣収納庫２５内の収納紙幣の出し入れが可能となる。なお、硬貨収納ユニット１０及び紙幣収納ユニット２０は、総称して貨幣処理ユニットという。
【００３８】
図４及び図５に示すように、硬貨収納ユニット１０及び紙幣収納ユニット２０には、収納庫扉１６、２６の開閉状態を検出するための開閉センサ２ａ及び筐体１ａに対して硬貨収納ユニット１０及び紙幣収納ユニット２０が引き出されているか否かを検出するための引き出し検出センサ２ｂが設けてある。
【００３９】
また、図６及び図７に示すように、硬貨収納ユニット１０は、筐体１ａに対する引き出し動作をロック及びロック解除を行う電気的ロック機構１８を有する。電気的ロック機構１８は、例えば電磁ソレノイドを用いてプランジャー１８ａを出し入れすることによってロック及びロック解除を行う。図６に示すように、電磁ソレノイドが通電されない場合、プランジャー１８ａは筐体１ａの内側に形成された凹部１８ｂに嵌入し、硬貨収納ユニット１０が引き出されないようにロックする。一方、図７に示すように、電磁ソレノイドが通電されると、プランジャー１８ａは凹部１８ｂから離脱し、硬貨収納ユニット１０の引き出しを可能にするロック解除がなされる。なお、紙幣収納ユニット２０も、硬貨収納ユニット１０と同様に、筐体１ａに対する引き出し動作をロック及びロック解除を行う電気的ロック機構２８を有する。
【００４０】
なお、筐体１ａは、硬貨収納ユニット１０及び紙幣収納ユニット２０の収納状態で、硬貨収納ユニット１０及び紙幣収納ユニット２０の正面パネル１０ａ，２０ａとともに、硬貨収納ユニット１０及び紙幣収納ユニット２０を外部から遮蔽している。特に、本実施の形態では、機械的物理キーの鍵穴等がないため、錠前などの破壊場所の手がかりがなく、錠前などの破壊によって硬貨収納ユニット１０及び紙幣収納ユニット２０を強制的に引き出すことが困難となる。
【００４１】
また、図８に示すように、正面パネル１０ａには、電子キーとしてのＵＳＢメモリ４２が接続され、ＵＳＢメモリ４２内の情報読取およびＵＳＢメモリ４２内への情報書込が可能な通信処理部４０を有する。この通信処理部４０は、開閉可能なカバー４１を開けることによってＵＳＢメモリ４２の接続口が現れる。カバー４１は、通常、閉じた状態となり、正面パネル１０ａには、ＵＳＢメモリ４２の接続口が現れない。ＵＳＢメモリ４２は、操作表示部３０に電子識別情報の入力要求があった場合に、操作者が通信処理部４０にＵＳＢメモリ４２を接続することによって通信処理部４０が接続を認識する。通信処理部４０は、その後ＵＳＢメモリ４２から電子識別情報を読み取ることによってロック制御部５２に電子識別情報が入力されることになる。なお、制御部５０は、通信処理部４０にＵＳＢメモリ４２が接続されていることを条件に硬貨収納ユニット１０及び紙幣収納ユニット２０の処理動作を可能にする制御を行うようにしてもよい。
【００４２】
なお、通信処理部４０は、少なくとも情報読取が可能な情報読取部であってもよい。この情報読取部は、例えば、接触式または非接触式のカードリーダであってもよい。あるいは、情報読取部は、スマートキーからの電子識別情報を非接触で読み込むものであってもよい。また、情報読取部は、指紋や静脈などの生体認証の読取が可能な生体認証部であってもよい。
【００４３】
また、正面パネル１０ａの上部には、図１に示したように操作表示部３０が設けてある。操作表示部３０は、表示部３０ａ及び操作部３０ｂが設けてある。図９に示すように、表示部３０ａは、金種ごとの貨幣の収納状況を表示する７セグメントのＬＥＤ表示器３１ａと、その貨幣の収納状況に関する情報及び他の必要な情報を文字表示するＬＣＤ表示器３１ｂと、表示もしくは音声出力をすべき情報があることを示すヘルプランプ３１ｃとを有する。なお、これらの情報は音声出力することも可能である。特に、表示部３０ａは、硬貨収納ユニット１０及び紙幣収納ユニット２０内の収納された貨幣収納枚数が予め設定した所定枚数以上あるいは以下になったときにその情報を表示あるいは音声出力する。
【００４４】
また、操作部３０ｂは、操作者が各種指令を入力するためのもので、例えば複数の押ボタンスイッチによって構成してある。例えば、図９に示すように、ヘルプランプ３１ｃの点灯が示す情報を表示あるいは音声出力させるヘルプスイッチ３１ｄ、貨幣収納枚数が所定枚数になったときに余剰金回収動作を実行するための回収スイッチ３１ｅ、不足金補充動作を実行するための補充スイッチ３１ｆ、これらの動作の実行を許可するかしないかを設定する設定スイッチ３１ｇ、及び実行するための実行スイッチ３１ｈを有する。
【００４５】
（自動釣銭機の制御系）
図１０は、上述した自動釣銭機の制御系を示すブロック図である。図６に示す制御部５０は、操作表示部３０を通じて指令が与えられた場合、あるいは通信処理部４０から情報を読み取った場合、あるいは硬貨鑑別センサ１４、紙幣鑑別センサ２４、開閉センサ２ａ、引き出し検出センサ２ｂから検出信号が与えられた場合、さらには上位装置であるＰＯＳレジスタ装置ＰＲから各種指令が与えられた場合、記憶部６０に格納したプログラムや初期データに基づいて操作表示部３０の表示制御、硬貨搬送機構１３の駆動制御、紙幣搬送機構２３の駆動制御、電気的ロック機構１８，２８の駆動制御を行うものである。制御部５０は、入出金制御部５１、ロック制御部５２、および報知処理部５３を有する。
【００４６】
入出金制御部５１は、ＰＯＳレジスタ装置ＰＲから入力許可指令が与えられた後に貨幣が投入された場合に、入金許可指令に従って貨幣の入金処理を行い、かつＰＯＳレジスタ装置ＰＲから出金指令が与えられた場合に、出金指令に従って貨幣の出金処理を行うものである。また、入出金制御部５１は、これらの入金処理及び出金処理を実行している間、実施した入金処理及び出金処理の内容を入出金情報６１として逐次記憶部６０に格納する処理も行う。
【００４７】
ロック制御部５２は、ＰＯＳレジスタ装置ＰＲから入力される所定コマンド内に電子識別情報が入力されている場合、操作表示部３０から電子識別情報が入力された場合、あるいは通信処理部４０から電子識別情報が読み取られた場合、電気的ロック機構１８，２８のロック解除を行う。なお、ロック制御部５２は、引き出し検出センサ２ｂの検出結果をもとに、電気的ロック機構１８，２８のロック解除後、所定時間内に硬貨収納ユニット１０または紙幣収納ユニット２０が引き出されていないことを検出した場合、電気的ロック機構１８，２８を再ロックする。また、ロック制御部５２は。ロック解除時間や、可能な場合には操作者情報などをロック情報６２として記憶部６０に記憶する。
【００４８】
報知処理部５３は、硬貨収納ユニット１０あるいは紙幣収納ユニット２０の収納が不完全である場合にその旨を操作表示部３０あるいはＰＯＳレジスタ装置ＰＲに報知する。また、報知処理部５３は、硬貨収納ユニット１０あるいは紙幣収納ユニット２０のロック状態、ロック解除状態を操作表示部３０あるいはＰＯＳレジスタ装置ＰＲに報知する。
【００４９】
上述した電子識別情報は、自動釣銭機に固有のシリアル番号に対応した情報であることが好ましい。なお、電子識別情報は、操作者を特定する識別情報であってもよい。例えば、上述した生体認証情報であってもよい。
【００５０】
記憶部６０に記憶される対応関係情報６３は、電子識別情報と複数の許可処理内容との対応関係を示す情報である。例えば、対応関係情報６３には、入力された各種の電子識別情報に対して、硬貨収納ユニット１０及び紙幣収納ユニット２０の引き出し許可、商品取引外での現金出金許可、後述する紙幣回収庫の引き出し許可、後述する回収扉あるいは開閉扉の開閉許可などの対応関係が保持されている。なお、対応関係情報６３には、設定スイッチ３１ｇで設定された内容も含まれる。
【００５１】
（釣銭モード処理）
図１１は、図１０に示した制御部５０の入出金制御部５１が繰り返し実施する入金処理及び出金処理である釣銭モード処理手順を示すフローチャートである。図１１に示すように、入出金制御部５１は、ＰＯＳレジスタ装置ＰＲからの入金許可指令を監視する（ステップＳ１０１）。ＰＯＳレジスタ装置ＰＲから入金許可指令が与えられなかった場合（ステップＳ１０１，Ｎｏ）、入出金制御部５１は、ステップＳ１０９に移行する。
【００５２】
一方、ＰＯＳレジスタ装置ＰＲから入金許可指令が与えられた場合（ステップＳ１０１，Ｙｅｓ）、入出金制御部５１は、自動釣銭機を入金許可状態に設定し（ステップＳ１０２）、その後、図示せぬ投入検出センサを通じて硬貨投入口１１及び紙幣投入口２１に対する入金を監視する（ステップＳ１０３）。
【００５３】
硬貨投入口１１もしくは紙幣投入口２１からの入金を確認した場合（ステップＳ１０３，Ｙｅｓ）、入出金制御部５１は、硬貨鑑別センサ１４もしくは紙幣鑑別センサ２４を介して投入された貨幣の鑑別を行い、該鑑別結果に従って、対応する硬貨収納庫１５、紙幣収納庫２５に貨幣を搬送する処理を行う（ステップＳ１０４）。なお、入金を検出しなかった場合（ステップＳ１０３，Ｎｏ）、入出金制御部５１は、そのままステップＳ１０５に移行する。
【００５４】
その後、入出金制御部５１は、ＰＯＳレジスタ装置ＰＲからの入金額要求があるか否かを監視し（ステップＳ１０５）、入金額要求があった場合（ステップＳ１０５，Ｙｅｓ）、現在の入金額に関する情報をＰＯＳレジスタ装置ＰＲに送信する処理を行う（ステップＳ１０６）。なお、入金額要求がなかった場合（ステップＳ１０５，Ｎｏ）、入出金制御部５１は、そのままステップＳ１０７に移行する。
【００５５】
その後、入出金制御部５１は、ＰＯＳレジスタ装置ＰＲから入金終了指令があったか否かを判断し（ステップＳ１０７）、入金終了指令がなかった場合（ステップＳ１０７，Ｎｏ）、手順をステップＳ１０３に移行して上述したステップＳ１０３〜Ｓ１０７の処理を繰り返す。
【００５６】
一方、ＰＯＳレジスタ装置ＰＲから入金終了指令があった場合（ステップＳ１０７，Ｙｅｓ）、入出金制御部５１は、自動釣銭機を入金禁止状態に設定し（ステップＳ１０８）、その後、ＰＯＳレジスタ装置ＰＲから出金指令があるか否かを監視する（ステップＳ１０９）。
【００５７】
ＰＯＳレジスタ装置ＰＲから出金指令が与えられた場合（ステップＳ１０９，Ｙｅｓ）、入出金制御部５１は、硬貨収納庫１５や紙幣収納庫２５に収納された貨幣を釣銭として硬貨出金口１２もしくは紙幣出金口２２から払い出す処理を実施し（ステップＳ１１０）、今回の釣銭モード処理を終了する。なお、ＰＯＳレジスタ装置ＰＲから出金指令が与えられなかった場合（ステップＳ１０９，Ｎｏ）、入出金制御部５１は、そのまま今回の釣銭モード処理を終了する。
【００５８】
上述した状況は、例えば、ＰＯＳレジスタ装置ＰＲにおいて操作者（レジ担当者）による購入商品の登録が終了し、その合計金額以上の貨幣を商品購入者から預かった操作者がこれを自動釣銭機に投入した場面であり、購入商品の登録が終了した後にＰＯＳレジスタ装置ＰＲから自動釣銭機の制御部５０に対して入金許可指令が与えられる。一方、貨幣が投入された自動釣銭機からＰＯＳレジスタ装置ＰＲに入金額情報が送信されると、ＰＯＳレジスタ装置ＰＲにおいて（釣銭）＝（入金額）−（購入合計金額）が算出され、釣銭がある場合には釣銭に対応した出金指令が入金終了指令の後に自動釣銭機に出力される。出金指令が与えられた自動釣銭機では、釣銭に相当する貨幣が硬貨出金口１２もしくは紙幣出金口２２から払い出され、ＰＯＳレジスタ装置ＰＲから出力されたレシートとともにこの釣銭が商品購入者に手渡される。
【００５９】
以降、上述した釣銭モード処理が繰り返し実施され、金銭処理装置が自動釣銭機として機能することになる。この間、自動釣銭機においては、入出金制御部５１により、実施した入金処理及び出金処理の内容が入出金情報６１として逐次、記憶部６０に格納する処理が行われる。
【００６０】
（ロック制御処理）
図１２は、ロック制御部５２によるロック制御処理手順を示すフローチャートである。図１２に示すように、まず、ロック制御部５２は、ＰＯＳレジスタ装置ＰＲから入力される所定コマンド内に電子識別情報が入力されたか、または操作表示部３０から電子識別情報が入力されたか、または通信処理部４０から電子識別情報が読み取られたか否かを判断する（ステップＳ２０１）。なお、ロック制御部５２は、操作表示部３０あるいはＰＯＳレジスタ装置ＰＲから硬貨収納ユニット１０あるいは紙幣収納ユニット２０などに対する現金払い出し指示あるいは貨幣回収指示の都度、操作表示部３０あるいはＰＯＳレジスタ装置ＰＲに対して電子識別情報の入力要求を行う。この入力要求に対して、操作表示部３０、ＰＯＳレジスタ装置ＰＲ、あるいは通信処理部４０から電子識別情報が入力されることになる。また、ＰＯＳレジスタ装置ＰＲの認証機構によって電子識別情報が認証され、ロック解除許可を示す情報を電子識別情報の入力として取り扱ってもよい。
【００６１】
電子識別情報が入力されていない場合（ステップＳ２０１，Ｎｏ）には、このステップＳ２０１の判断処理を繰り返す。一方、電子識別情報が入力された場合（ステップＳ２０１，Ｙｅｓ）には、さらに対応関係情報６３を参照して、入力された電子識別情報に対して電気的ロック機構１８，２８のロック解除が許可されているか否かを判断する（ステップＳ２０２）。ロック制御部５２は、ロック解除が許可されていない場合（ステップＳ２０２，Ｎｏ）には、ステップＳ２０１に移行して上述した処理を繰り返す。一方、ロック制御部５２は、ロック解除が許可されている場合（ステップＳ２０２，Ｙｅｓ）には、電気的ロック機構１８，２８のロック解除を行う（ステップＳ２０３）。
【００６２】
その後、ロック制御部５２は、ロック解除後、所定時間内に貨幣処理ユニット（硬貨収納ユニット１０及び紙幣収納ユニット２０）が引き出されたか否かを判断する（ステップＳ２０４）。この判断は、引き出し検出センサ２ｂの検出結果を参照してなされる。ロック解除後、所定時間内に貨幣処理ユニットが引き出されていない場合（ステップＳ２０４，Ｎｏ）、ロック制御部５２は、電気的ロック機構１８，２８を再ロックし（ステップＳ２０５）、ステップＳ２０８に移行する。
【００６３】
一方、ロック解除後、所定時間内に貨幣処理ユニットが引き出された場合（ステップＳ２０４，Ｙｅｓ）、ロック制御部５２は、さらに貨幣処理ユニットが筐体１ａに収納されたか否かを判断する（ステップＳ２０６）。この貨幣処理ユニットが筐体１ａに収納されたか否かは、引き出し検出センサ２ｂの検出結果もとに判断される。貨幣処理ユニットが筐体１ａに収納されない場合（ステップＳ２０６，Ｎｏ）、このステップＳ２０６の判断処理を繰り返す。一方、貨幣処理ユニットが筐体１ａに収納された場合（ステップＳ２０６，Ｙｅｓ）、ロック制御部５２は電気的ロック機構１８，２８をロックする処理を行う（ステップＳ２０７）。このロック処理は、電磁ソレノイドへの通電を断ち、プランジャー１８ａを凹部１８ｂに嵌入することによってなされる。
【００６４】
その後、ロック制御部５２は、電気的ロック機構１８，２８のロック処理が不完全であるか否かを判断する（ステップＳ２０８）。このロック処理が不完全か否かは、例えばプランジャー１８ａの伸縮状態を検出することによってなされる。ロック処理が不完全である場合（ステップＳ２０８，Ｙｅｓ）には、その旨を操作表示部３０あるいはＰＯＳレジスタ装置ＰＲに報知し（ステップＳ２０９）、ステップＳ２０８に戻る。一方、ロック処理が不完全でない場合（ステップＳ２０８，Ｎｏ）には、ロック解除時刻及びロック時刻を含むロック解除時間と、電子識別情報とを含む情報をロック情報６２として記憶部６０に記録し（ステップＳ２１０）、本処理を終了する。なお、上述した処理は、所定時間毎に繰り返し行われる。
【００６５】
（変形例１）
上述した金銭処理装置では、紙幣収納ユニット２０の紙幣回収庫２７から貨幣を回収するためには紙幣収納ユニット２０の電気的ロック機構２８をロック解除し、かつ、図２−２に示すように収納庫扉２６を開く必要があった。この変形例１では、紙幣回収庫２７が筐体１ａまたは紙幣収納ユニット２０から取り外し可能な構造としている。すなわち、図１３に示すように、紙幣回収庫２７に対応する紙幣回収庫７０は、筐体１ａまたは紙幣収納ユニット２０から取り外し可能であり、外部から遮蔽されるように筐体１ａで覆われ、回収扉７１を開くことによって内部に収納された紙幣を回収することができる。
【００６６】
紙幣回収庫７０は、紙幣収納ユニット２０に設けられた紙幣回収用電気的ロック機構７５によって紙幣収納ユニット２０にロック及びロック解除される。紙幣回収用電気的ロック機構７５は、電気的ロック機構１８，２８と同様な構成である。すなわち、図１４に示すように、紙幣回収用電気的ロック機構７５は、紙幣回収庫７０が収納状態のとき、電気ソレノイドに通電されず、プランジャー７５ａが紙幣回収庫７０のフランジに設けられた穴７５ｂに嵌合し、ロック状態となる。一方、図１５に示すように、電磁ソレノイドに通電することによって紙幣回収庫７０の穴７５ｂに嵌合していたプランジャー７５ａが引き抜かれ、ロック解除となる。このロック解除によって、紙幣回収庫７０は、図１５に示すように、外部に取り出すことができる。その状態で回収扉７１を開くことによって内部に収納された紙幣を回収することができる。
【００６７】
このような構成とすることによって、紙幣収納ユニット２０を引き出さずに、紙幣回収庫７０のみを単独で外部に取り出すことができる。この場合、紙幣収納ユニット２０は引き出されていないため、紙幣収納ユニット２０は、動作を中断せずに運用し続けることができる。
【００６８】
（変形例２）
この変形例２では、図１６に示すように、回収扉７１に替えて前面が開閉する回収扉７４を設けた紙幣回収庫７０としている。なお、変形例１と同様に、紙幣回収庫７０の前面には、機械的物理キーの鍵穴などが設けられていない。回収扉７４の開閉は、紙幣回収庫７０の上面であって、収納時に遮蔽される面に錠前７２が設けられ、錠前７２に鍵７３を差し込んで開錠することによってなされる。なお、錠前７２に替えて、電気的ロック機構１８，２８や紙幣回収用電気的ロック機構７５と同様な回収扉電気的ロック機構を設け、電子識別情報の入力によって回収扉７４を開閉するようにしてもよい。
【００６９】
（変形例３）
この変形例３では、紙幣回収庫２７が紙幣収納ユニット２０に設けられており、図１７に示すように、紙幣収納ユニット２０の引き出しを行わずに、直接、紙幣収納ユニット２０の前面に設けられた開閉扉８０を開閉することによって紙幣回収庫２７内に回収された紙幣を抜き取ることができるようにしている。開閉扉８０は、紙幣収納ユニット２０側に設けられた図示しない開閉扉用電気的ロック機構のロック解除によって開くことができる。開閉扉用電気的ロック機構は、上述した電気的ロック機構１８，２８、紙幣回収用電気的ロック機構７５、回収扉電気的ロック機構と同様な構成で実現され、電子識別情報の入力によってロック及びロック解除される。なお、変形例１，２と同様に、紙幣回収庫７０の前面には、機械的物理キーの鍵穴などが設けられていない。この結果、金銭処理装置の外周、特に全面には、機械的物理キーの鍵穴等がないため、錠前などの破壊場所の手がかりがなく、錠前などの破壊によって紙幣回収庫７０からを強制的に引き出すことが困難となる。
【００７０】
なお、変形例１〜３の各構成要素は、実施の形態に適宜組み合わせて適用することができる。
【００７１】
上述した実施の形態あるいは各変形例では、機械的物理キーを用いず、電子識別情報によってロック解除する電気的ロック機構１８，２８などを電気的ロック機構のみを設けているので、簡易な構成となる。また、電子識別情報は、各金銭処理装置ごとに異なる電子キー情報として簡易に設定することができるので、貨幣盗難などの発生に対する影響範囲を狭めることができる。さらに、電子識別情報は電子情報であるため、金銭処理装置に対する設定を容易かつ柔軟に行うことができる。
【符号の説明】
【００７２】
１  装置本体
１ａ  筐体
２ａ  開閉センサ
２ｂ  引き出し検出センサ
１０  硬貨収納ユニット
１０ａ，２０ａ  正面パネル
１１  硬貨投入口
１２  硬貨出金口
１３  硬貨搬送機構
１３ａ  振分搬送機構
１３ｂ  出金搬送機構
１４  硬貨鑑別センサ
１５  硬貨収納庫
１６  収納庫扉
１７  受け皿
１８，２８  電気的ロック機構
１８ａ，７５ａ  プランジャー
１８ｂ  凹部
１９，２９  判別部
２０  紙幣収納ユニット
２１  紙幣投入口
２２  紙幣出金口
２３  紙幣搬送機構
２４  紙幣鑑別センサ
２５  紙幣収納庫
２６  収納庫扉
２７，７０  紙幣回収庫
３０  操作表示部
４０  通信処理部
４１  カバー
４２  ＵＳＢメモリ
５０  制御部
５１  入出金制御部
５２  ロック制御部
５３  報知処理部
６０  記憶部
６１  入出金情報
６２  ロック情報
６３  対応関係情報
７１，７４  回収扉
７３  鍵
７２  錠前
７５  紙幣回収用電気的ロック機構
７５ｂ  穴
８０  開閉扉
ＰＲ  レジスタ装置
【図１】
2015162121.tif 000003
【図２−１】
2015162121.tif 000004
【図２−２】
2015162121.tif 000005
【図３−１】
2015162121.tif 000006
【図３−２】
2015162121.tif 000007
【図４】
2015162121.tif 000008
【図５】
2015162121.tif 000009
【図６】
2015162121.tif 000010
【図７】
2015162121.tif 000011
【図８】
2015162121.tif 000012
【図９】
2015162121.tif 000013
【図１０】
2015162121.tif 000014
【図１１】
2015162121.tif 000015
【図１２】
2015162121.tif 000016
【図１３】
2015162121.tif 000017
【図１４】
2015162121.tif 000018
【図１５】
2015162121.tif 000019
【図１６】
2015162121.tif 000020
【図１７】
2015162121.tif 000021